(57)【要約】【課題】  外部サーバからダウンロードした付加的なコンテンツを含む最新のプレイリストに従い、ＨＤ  ＤＶＤディスクに収容されているコンテンツとダウンロードされた付加的なコンテンツを併せて、最新のプレイリストに従ってコンテンツを再生可能なディスク再生装置およびコンテンツ再生方法を、提供する。【解決手段】  この発明は、ディスクがセットされた時点で、ディスクのコンテンツの供給元から付加的なコンテンツをダウンロードした付加的なコンテンツを所定の記憶部に記憶し、ディスクに記録されているコンテンツのプレイリストである第１のプレイリストと記憶部に記憶した付加的なコンテンツのプレイリストである第２のプレイリストとを検出したのち、それぞれのプレイリストを生成し、第１のプレイリストおよび第２のプレイリストのそれぞれのコンテンツのうちの最新のコンテンツを、光ディスクに固有のコンテンツの再生順で再生することを特徴とするディスク再生装置である。【選択図】  図４
2007179682.tif 000002
【特許請求の範囲】
【請求項１】
光ディスクに記録されている情報を読み出すディスクユニットと、
前記ディスクユニットに前記光ディスクがセットされた時点で前記光ディスクに関連のある付加的なコンテンツを保持した別の場所にあるストレージに保持されている前記コンテンツを、所定のタイミングで、読み出すデータ制御装置と、
前記データ制御装置により読み出された前記付加的なコンテンツを保持する不揮発性メモリと、
前記光ディスクに記録されているコンテンツのプレイリストである第１のプレイリストと、前記不揮発性メモリに保持された付加的なコンテンツのプレイリストである第２のプレイリストとを検出し、それぞれのプレイリストを生成するプレイリスト処理部と、
前記プレイリスト処理部に、前記第１のプレイリストおよび前記第２のプレイリストのそれぞれからのコンテンツの再生順と、前記第１および第２のプレイリストにより管理される前記コンテンツの組み合わせを指示する再生制御装置と、
を有することを特徴とするディスク再生装置。
【請求項２】
光ディスクに記録されている情報を読み出すディスクユニットと、
前記ディスクユニットに前記光ディスクがセットされた時点で前記光ディスクに関連のある付加的なコンテンツを保持した別の場所にあるストレージに保持されている前記コンテンツを、所定のタイミングで、読み出すデータ制御装置と、
前記データ制御装置により読み出された前記付加的なコンテンツを保持する不揮発性メモリと、
前記光ディスクに記録されているコンテンツのプレイリストである第１のプレイリストと、前記不揮発性メモリに保持された付加的なコンテンツのプレイリストである第２のプレイリストとを検出し、それぞれのプレイリストを生成するプレイリスト処理部と、
前記プレイリスト処理部に、前記第１のプレイリストおよび前記第２のプレイリストのそれぞれのコンテンツのうちの最新のコンテンツを、前記光ディスクに固有のコンテンツの再生順で再生可能に指示する再生制御装置と、
を有することを特徴とするディスク再生装置。
【請求項３】
光ディスクに記録されている情報を読み出すディスクユニットと、
前記ディスクユニットに前記光ディスクがセットされた時点で前記光ディスクに関連のある付加的なコンテンツを保持した別の場所にあるストレージに保持されている前記コンテンツを、所定のタイミングで、読み出すデータ制御装置と、
前記データ制御装置により読み出された前記付加的なコンテンツを保持する不揮発性メモリと、
前記光ディスクに記録されているコンテンツのプレイリストである第１のプレイリストと、前記不揮発性メモリに保持された付加的なコンテンツのプレイリストである第２のプレイリストとを検出し、それぞれのプレイリストを生成するプレイリスト処理部と、
前記プレイリスト処理部に、前記第１のプレイリスト、前記第２のプレイリスト、前記第１のプレイリストおよび前記第２のプレイリストのそれぞれからのコンテンツの再生順および組み合わせが指定された第３のプレイリストのいずれかに従って、前記光ディスクに記録されているコンテンツおよび前記記憶装置に保持されている付加的なコンテンツを所定の再生順で再生可能に指示する再生制御装置と、
を有することを特徴とするディスク再生装置。
【請求項４】
前記再生制御装置は、前記プレイリスト処理部に指示した前記コンテンツの再生順と、前記第１および第２のプレイリストにより管理される前記コンテンツの組み合わせを前記記憶装置に記憶させることが可能であることを特徴とする請求項１記載のディスク再生装置。
【請求項５】
光ディスクがディスクドライブ装置にセットされた時点で、光ディスクのコンテンツの供給元から付加的なコンテンツをダウンロードするデータ制御装置と、
前記ディスクドライブ装置を収容した装置とは異なる装置においてダウンロードされた付加的なコンテンツを保持する第１の記憶装置と、
前記ディスクドライブ装置を収容した装置においてダウンロードされた付加的なコンテンツを保持する第２の記憶装置と、
前記光ディスクに収容されているコンテンツのプレイリストである第１のプレイリストと、前記第１の記憶装置に保持されているコンテンツのプレイリストである第２のプレイリストと、前記第２の記憶装置に保持されているコンテンツのプレイリストである第３のプレイリストとをそれぞれ検出し、それぞれのプレイリストを生成するプレイリスト処理部と、
前記プレイリスト処理部に、前記第１ないし第３のプレイリストにより管理されるコンテンツのうちの最新のコンテンツを検出し、検出されたコンテンツを、前記光ディスクに記録されているコンテンツの再生順に再生させる再生制御装置と、
を有することを特徴とするディスク再生装置。
【請求項６】
前記ディスクドライブ装置を収容した装置は、前記ディスクドライブ装置に光ディスクがセットされた時点で、前記ディスクドライブ装置を収容した装置とは異なる前記装置を起動させ、前記第２の記憶装置に保持されている前記第２のプレイリストを読み出すことを特徴とする請求項５記載のディスク再生装置。
【請求項７】
光ディスクに記録されているコンテンツのプレイリストである第１のプレイリストと、不揮発性メモリに記憶した付加的なコンテンツのプレイリストである第２のプレイリストとを検出したのち、それぞれのプレイリストを生成し、
第１のプレイリストおよび第２のプレイリストのそれぞれからのコンテンツの再生順と第１および第２のプレイリストにより管理されるコンテンツの組み合わせを指示することにより、光ディスクに収容されているコンテンツとダウンロードした付加的コンテンツとを併せて再生する
ことを特徴とするコンテンツ再生方法。
【請求項８】
光ディスクがセットされた時点で、光ディスクのコンテンツの供給元から付加的なコンテンツをダウンロードし、
ダウンロードされた付加的なコンテンツを所定の記憶部に記憶し、
光ディスクに記録されているコンテンツのプレイリストである第１のプレイリストと、記憶部に記憶した付加的なコンテンツのプレイリストである第２のプレイリストとを検出したのち、それぞれのプレイリストを生成し、
第１のプレイリストおよび第２のプレイリストのそれぞれのコンテンツのうちの最新のコンテンツを、光ディスクに固有のコンテンツの再生順で再生する
ことを特徴とするコンテンツ再生方法。
【請求項９】
光ディスクがセットされた時点で、光ディスクのコンテンツの供給元から付加的なコンテンツをダウンロードし、
ダウンロードされた付加的なコンテンツを所定の記憶部に記憶し、
光ディスクに記録されているコンテンツのプレイリストである第１のプレイリストと、記憶部に記憶した付加的なコンテンツのプレイリストである第２のプレイリストとを検出したのち、それぞれのプレイリストを生成し、
第１のプレイリスト、第２のプレイリスト、第１のプレイリストおよび第２のプレイリストのそれぞれからのコンテンツの再生順および組み合わせが指定された第３のプレイリストのいずれかに従って、光ディスクに記録されているコンテンツおよび記憶部に保持されている付加的なコンテンツを所定の再生順で再生可能に、
コンテンツ再生順を指定することのできるコンテンツ再生方法。
【請求項１０】
光ディスクに収容されている情報を再生可能な第１のディスク再生装置と、
前記第１のディスク再生装置とは独立に光ディスクに収容されている情報を再生可能な第２のディスク再生装置と、
再生対象の光ディスクがセットされた時点で、前記光ディスクがセットされていない側のディスク再生装置を起動し、前記光ディスクがセットされていない側のディスク再生装置にダウンロードされている付加的コンテンツのプレイリストを読み出し、
前記光ディスクに収容されている情報に対応するプレイリスト、前記光ディスクがセットされていない側のディスク再生装置にダウンロードされている付加的コンテンツのプレイリスト、ならびに自身が保持するダウンロードした付加的なコンテンツのプレイリストをそれぞれ比較し、それぞれのコンテンツのうちの最新のコンテンツに関する新たなプレイリストを生成して、前記光ディスクに収容されているコンテンツの再生順で、前記新たなプレイリストにより管理されるコンテンツの組み合わせによるコンテンツの再生を指示する再生制御装置と、
を有することを特徴とするコンテンツ再生システム。
【発明の詳細な説明】
【技術分野】
【０００１】
この発明は、コンテンツが収容されている媒体からコンテンツを再生する際に、ネットワークを介して取得した付加的なコンテンツを、閉じたネットワークに接続された任意数の装置により再生するディスク再生装置およびディスク再生装置におけるコンテンス再生方法に関する。
【背景技術】
【０００２】
映像コンテンツあるいはオーディオコンテンツを高密度で保持可能な記録媒体として光ディスクが実用化されて久しい。
【０００３】
光ディスクは、テープ状の媒体に比較して、任意の再生位置からのコンテンツの再生が可能で、物理的な大きさに対する記録容量が大きいことから、急速に普及している。
【０００４】
近年、記録されているコンテンツ（情報）の再生に、青色または青紫色の、波長の短いレーザ光を用いることにより、ＨＤ規格の映像データと高品質のサラウンドオーディオデータとを一枚のディスクに保存できる超高密度光ディスク（High Definition Digital Versatile Disc，以下、ＨＤ  ＤＶＤと略称する）も既に実用化されている。
【０００５】
なお、ＨＤ  ＤＶＤ規格の光ディスク（一部のＤＶＤ規格の光ディスクを含む）では、光ディスクに収容されているコンテンツの１つに、ネットワークを介してそのコンテンツの供給元へのアクセスを推奨するアドレスあるいはリンク先情報が含まれている。
【０００６】
このため、ディスク再生装置において光ディスクを再生する場合に、コンテンツ供給元が提供する付加的なコンテンツをネットワークからのダウンロードすることにより、同時に／または並列に再生可能である。反面、２以上のディスク再生装置を用いて複数回付加的なコンテンツをダウンロードした場合、最新のプレイリストがどのダウンロードにより得られたコンテンツであるかが不明になることがある。
【０００７】
なお、特許文献１には、ホームサーバと呼ばれる主装置においてダウンロードしたコンテンツについて、サーバでダウンロードしたコンテンツの再生が許可されている子機との間で、転送を可能とする例が報告されている。
【特許文献１】特開２００４−３７９８１
【発明の開示】
【発明が解決しようとする課題】
【０００８】
上述したように、ＨＤ  ＤＶＤディスクを再生する際に、光ディスクに収容されているコンテンツの供給元へのアクセスを推奨するアドレスあるいはリンク先情報に従って、付加的なコンテンツをダウンロードすることで、最新のプレイリストがどのダウンロードにより得られたコンテンツであるかが不明になることがある。また、ダウンロードした付加的なコンテンツを含む最新のプレイリストに従って、ＨＤ  ＤＶＤディスクに収容されているコンテンツを再生することが好ましいことはいうまでもない。なお、特許文献１においても、コンテンツ供給元からダウンロードされた付加的なコンテンツを含む、最新のプレイリストに従う再生については触れられていない。
【０００９】
この発明の目的は、上記問題点を解決するために、外部サーバからダウンロードした付加的なコンテンツを含む最新のプレイリストに従い、ＨＤ  ＤＶＤディスクに収容されているコンテンツとダウンロードされた付加的なコンテンツを併せて、最新のプレイリストに従ってコンテンツを再生可能なディスク再生装置およびコンテンツ再生方法を、提供することである。
【課題を解決するための手段】
【００１０】
この発明は、光ディスクに記録されている情報を読み出すディスクユニットと、前記ディスクユニットに前記光ディスクがセットされた時点で前記光ディスクに関連のある付加的なコンテンツを保持した別の場所にあるストレージに保持されている前記コンテンツを、所定のタイミングで、読み出すデータ制御装置と、前記データ制御装置により読み出された前記付加的なコンテンツを保持する不揮発性メモリと、前記光ディスクに記録されているコンテンツのプレイリストである第１のプレイリストと、前記不揮発性メモリに保持された付加的なコンテンツのプレイリストである第２のプレイリストとを検出し、それぞれのプレイリストを生成するプレイリスト処理部と、前記プレイリスト処理部に、前記第１のプレイリストおよび前記第２のプレイリストのそれぞれからのコンテンツの再生順と、前記第１および第２のプレイリストにより管理される前記コンテンツの組み合わせを指示する再生制御装置と、を有することを特徴とするディスク再生装置、を提供するものである。
【発明の効果】
【００１１】
本発明によれば、ユーザの好むコンテンツの再生順が反映された、よりユーザの好みの合った再生ができるディスク再生装置を提供できる。すなわち、外部サーバからダウンロードした付加的なコンテンツを含む最新のプレイリストに従い、ＨＤ  ＤＶＤディスクに収容されているコンテンツとダウンロードされた付加的なコンテンツを併せて、最新のプレイリストに従ってコンテンツを再生可能なディスク再生装置およびコンテンツ再生方法が提供される。
【発明を実施するための最良の形態】
【００１２】
図１は、この発明の実施の形態が適用可能なディスク再生装置の一例を概略的に示す。
【００１３】
図１に示すディスク再生装置１は、記録媒体、例えばＨＤ規格のＤＶＤディスク（以下ＨＤ  ＤＶＤディスクと呼称する）Ｄがセットされることで、光ディスクＤに収容されている情報が再生可能なディスクドライブユニット３、パーシステントストレージ（Persistent Storage，以下Ｐ−ストレージと呼称する）として用いられるハードディスクＨＤを含むハードディスクドライブ（ＨＤＤ）ユニット５および、不揮発性メモリである半導体メモリ、例えばフラッシュメモリ７等を有する。なお、Ｐ−ストレージとしては、１２８メガバイト（Ｍ Bytes ）以上の容量があればよく、ＨＤＤ５またはフラッシュメモリ７の少なくとも一方が用意されていればよい。
【００１４】
ディスクドライブユニット３、ハードディスクドライブユニット５、フラッシュメモリ７は、ＣＰＵを含む主制御ブロック１１に、データバス１３、Ｉ／Ｏコントローラ２１を介して接続されている。なお、ＨＤ  ＤＶＤディスクＤ、ＨＤＤ５、およびフラッシュメモリ７等に保持されているデータは、周知のパケタイズドストリーム（Packetized stream，以降“ＰＳ”と称する）と呼ばれるデータ形式である。また、詳述しないが、ＨＤ  ＤＶＤレコーダの場合には、ＨＤＤ５の容量が大きく、図示しないテレビチューナ部により受信された地上および衛星からのデジタル放送波等の録画（記録）も可能である。なお、デジタル放送は、ＴＳ（Transport stream，以降“ＴＳ”と称する）形式である。
【００１５】
ＰＳには、映像（ビデオ）と音声（オーディオ）およびその他の制御データが、時分割多重されている。さらに、映像（ビデオ）と音声（オーディオ）は、それぞれ送信すべきデータ量を低減する目的で圧縮された形態で送られてきている。また、データの多くは、ビデオデータであり、例えばＨ．２６４、ＶＣ１またはＭＰＥＧ２と呼ばれる規格により圧縮されている。
【００１６】
Ｉ／Ｏコントローラ２１を介して取り込まれたデータは、データバス１３を介し、図示しないメモリ（Ｄ−ＲＡＭ）を経由して、ストリームパーサ２３に入力され、映像すなわちビデオ信号と、音楽（音声を含む）すなわちオーディオ信号とに分離され、それぞれに対応するビデオ系デコーダ２５およびオーディオ系デコータ２７により復号される。復号されたビデオ信号すなわち映像は、出力部２９を通じて、例えば液晶ディスプレイやＣＲＴに代表される表示装置３１に表示可能に出力される。また、復号されたオーディオ信号すなわち音楽あるいは音声は、出力部２９からスピーカ３３に出力される。
【００１７】
主制御ブロック１１には、データバス１３を介して、ネットワークコントローラ１５が接続されている。
【００１８】
ネットワークコントローラ１５は、公衆通信回線あるいはローカルエリアネットワーク（ＬＡＮ）を経由して、外部サーバやＬＡＮ上に接続された任意数のディスク再生装置との間で、データの受け渡しおよび転送が可能である。外部サーバとしては、例えばＨＤ  ＤＶＤディスクＤの供給元のｗｅｂサイトや、コンテンツを有償で配信する配信サイト等が含まれる。また、ＬＡＮ上には、ディスク再生装置１と実質的に同一の機能を含む携帯可能型のディスク再生装置や、例えば家庭内に別の場所に設けられている同形式あるいはＨＤ  ＤＶＤディスクＤを再生可能な別の形式のディスク再生装置が接続可能である。
【００１９】
主制御ブロック１１にはまた、データバス１３を介して、オンスクリーンディスプレイユニット１７およびリモコン受信部１９が接続されている。オンスクリーンディスプレイユニット１７は、以下に説明するプレイリストの表示装置３１への表示や、リモコン受信部１９を経由してユーザから指示される入力指示を表示装置３１へ表示させるための本来のビデオ信号に制御情報を重ねて表示させるための映像処理部である。
【００２０】
プレイリスト処理部５１は、後段に詳述するがプレイリスト検出部５３、プレイリスト生成部５５、プレイリスト生成画面処理部５７を含む。
【００２１】
図１に示したディスク再生装置１においては、市販されているＨＤ  ＤＶＤディスク、すなわちビデオソフトをディスクドライブユニット３にセットして再生する場合、ネットワークコントローラ１５を経由して、光ディスクに収容されているコンテンツの供給元へのアクセスを推奨するアドレスあるいはリンク先情報、として用意されたディスクの供給元のｗｅｂサイトへのアクセスが可能である。
【００２２】
Ｉ／Ｏコントローラ２１を介して取り込まれたデータは、データバス１３に接続されたストリームパーサ２３により、映像すなわちビデオ信号と、音楽（音声を含む）すなわちオーディオ信号とに分離され、それぞれに対応するビデオ系デコーダ２５およびオーディオ系デコータ２７により復号される。復号されたビデオ信号すなわち映像は、出力部２９を通じて、例えば液晶ディスプレイやＣＲＴに代表される表示装置３１に表示可能に出力される。また、復号されたオーディオ信号すなわち音楽あるいは音声は、出力部２９からスピーカ３３に出力される。なお、分離および復号されたは、実際には、表示装置３１やスピーカ３３で視聴者に届けるためのものと、記録用に記録するためのものが必ずしも、同一ではないことがありえる。
【００２３】
ＨＤ  ＤＶＤディスクに用意されているディスク供給元のｗｅｂサイトへアクセスすることにより、ビデオソフトが製造された後に追加された映像、例えばビデオソフトの購入者への特典として用意されたオリジナルプログラムやビデオソフトには収容されていない別の言語の音声等に代表される付加的なコンテンツを任意にダウンロードできる。なお、付加的なコンテンツとしては、例えば同じ供給元が供給する他のビデオソフトの案内等である新着案内と呼ばれるコンテンツも存在する。
【００２４】
ダウンロードにより取得した付加的なコンテンツは、例えばＨＤＤユニット５のハードディスクＨＤまたはフラッシュメモリ７に記憶される。
【００２５】
このため、ディスク再生装置において光ディスクを再生する場合に、コンテンツ供給元が提供する付加的なコンテンツをネットワークからダウンロードすることにより、ＨＤ  ＤＶＤディスクに収容されているコンテンツと、同時にまたは、並列に再生可能である。
【００２６】
ところで、ＨＤ  ＤＶＤディスクにおいては、上述したように、ネットワークコントローラ１５を経由して、光ディスクに収容されているコンテンツの供給元へのアクセスを推奨するアドレスあるいはリンク先情報、として用意されたディスクの供給元のｗｅｂサイトへのアクセスが可能である。従って、例えばビデオソフトの購入者への特典として用意されたオリジナルプログラムやビデオソフトには収容されていない別の言語の音声等に代表される付加的なコンテンツをダウンロードした場合、そのダウンロードにより得られた付加的なコンテンツを、ＨＤ  ＤＶＤディスクに収容されているコンテンツと併せて同時にあるいは並列に再生できることが好ましい。
【００２７】
例えば、ＨＤ  ＤＶＤディスクの発売当時にはディスクに収容されていなかった言語による再生用音声がディスク供給元から配信されている場合、その言語の再生用音声をダウンロードして、ＨＤ  ＤＶＤディスクに収容されている言語ではなく、ダウンロードした言語による再生等も可能である。
【００２８】
このことは、例えばＨＤ  ＤＶＤディスクに、２つのコンテンツ、映画１と映画２が、それぞれ、英語と韓国語の音声で記録されている（日本語音声がない）場合、日本語音声を、Ｐ−ストレージに、それぞれをダウンロードする。この場合、新しいプレイリストがＰ−ストレージに記録される。従って、再生時は、日本語音声で、映画１と映画２を再生することができる。すなわち、ＨＤ  ＤＶＤディスクから再生した映画コンテンツ１，２に関して、映像はそのまま表示装置３１に出力するが、音声については、Ｐ−ストレージに保持されているダウンロードした音声を、同期を取りながら再生する。これにより、発売時には、日本語音声が収容されていないＨＤ  ＤＶＤディスクであったとしても、供給元から付加的コンテンツとして日本語音声をダウンロードすることで、日本語音声による再生が可能となる。
【００２９】
また、ディスク供給元から供給される付加的コンテンツとしては、例えば同じ供給元が供給する他のビデオソフトの案内等である新着案内と呼ばれるコンテンツも存在する。しかしながら、ディスクの発売から時間が経過すると、ＨＤ  ＤＶＤディスクに収容されているコンテンツを再生した時点では、既に発売され、購入済みであるビデオソフトの案内であることも少なくない。
【００３０】
このことは、例えばＨＤ  ＤＶＤディスクに、コンテンツとして、映画１の予告編、映画２の予告編、映画３の予告編が記録されている場合、時間の経過とともに、それぞれの映画の予告編も古い情報となる。このため、ＨＤ  ＤＶＤディスクの発売時期から所定の時間（年月）が経過している場合には、例えば新しい予告編映画コンテンツとして、映画Ａの予告編、映画Ｂの予告編、映画Ｃの予告編をＰ−ストレージにダウンロードする。
【００３１】
このような新たなコンテンツの供給により、ＨＤ  ＤＶＤディスクに収容されている映画１の予告編、映画２の予告編、映画３の予告編に換えて、Ｐ−ストレージに保持されている新しいプレイリストに従い、新しい予告編映画コンテンツとして、映画Ａの予告編、映画Ｂの予告編、映画Ｃの予告編を再生することができる。
【００３２】
また、例えばコンテンツ供給元が、購入者特典として、ＨＤ  ＤＶＤディスクには収容されていないオリジナルコンテンツや部分的に追加あるいは編集されたコンテンツを用意していることも少なくない。これらの付加コンテンツを加味したディスク再生手順は、新たなプレイリストとして、Ｗｅｂサイトから供給されるか、または、ダウンロードしたときに、装置が生成するものであり、上述したＰ−ストレージに記録される。
【００３３】
図１に示したディスク再生装置１においては、ネットワークコントローラ１５を介してコンテンツ供給元からダウンロードされたデータは、Ｐ−ストレージすなわちＨＤＤ５のハードディスクＨＤあるいはフラッシュメモリ７に格納される。このとき、データバス１３に接続されたストリームパーサ２３を経由して、新しいプレイリストに従い、映像すなわちビデオ信号と、音楽（音声を含む）すなわちオーディオ信号とに分離され、プレイリスト処理部５１のプレイリスト検出部５３およびプレイリスト生成部５５に供給される。
【００３４】
従って、プレイリスト生成部５５により、例えば表示装置３１に、図２に示すような２つのプレイリストが表示される。図２においては、例えばＨＤ  ＤＶＤディスクに収容されているコンテンツのプレイリストである「ディスクプレイリスト」とダウンロードによりＰ−ストレージに格納された付加的コンテンツのプレイリストである「Ｐ−ストレージプレイリスト」が表示される。
【００３５】
この場合、ユーザは、例えば図示しないリモコン端末装置から、任意のプレイリストの再生順序を指示することで、図３に示すように、ユーザが設定した、ユーザの好みを反映した）オリジナルのプレイリストができあがる。なお、図３に示す例は、ＨＤ  ＤＶＤディスクに収容されているコンテンツＡ〜Ｅのうち、コンテンツＢとコンテンツＣをダウンロードにより取得したコンテンツＹとコンテンツＺに置き換えて再生する新たなプレイリストの例を示している。なお、図３に示す新たなプレイリストは、例えばＯＳＤ１７により、出力部２９から表示装置３１に出力される映像出力に重ねて出力されることはいうまでもない。また、図３に示す新たなプレイリストは、図示しないが揮発性のメモリ、例えばＤ−ＲＡＭに一時的に保持されるとともに、必要に応じて、例えばＨＤＤユニット５内またはフラッシュメモリ７の所定の領域に格納される。
【００３６】
図４は、図３に示したプレイリストの変更のための手順の一例を示す。
【００３７】
ＨＤ  ＤＶＤがディスク再生装置１のディスクドライブユニット３に挿入されると（Ｓ４１）、ＨＤ  ＤＶＤディスクに収容されているコンテンツのプレイリストが作成される。またはディスクからプレイリストを読み出される（Ｓ４２）。
【００３８】
続いて、ネットワークコントローラ１５を通じて、ＨＤ  ＤＶＤディスクの製造元またはコンテンツの権利者のｗｅｂサイトから、対応するＨＤ  ＤＶＤディスクに用意されている付加的コンテンツがダウンロードされ（Ｓ４３）、Ｐ−ストレージに保存される（Ｓ４４）。
【００３９】
次に、Ｐ−ストレージに保存された（ダウンロードされた）付加的コンテンツのプレイリストが生成される。あるいは、Ｗｅｂサイトからダウンロードされる。ダウンロード順は、コンテンツ自身と逆の場合もある（Ｓ４５）。なお、ステップＳ４１〜Ｓ４５は、実質的に図２に対応される。
【００４０】
続いて、ユーザから、ＨＤ  ＤＶＤディスクに収容されている任意のコンテンツとＰ−ストレージに保持されている付加的コンテンツとの入れ替え、すなわち時系列に従って、コンテンツの再生順序が指示される（Ｓ４６）。
【００４１】
ステップＳ４６で、時系列に従って、コンテンツの再生順序が指示されたコンテンツについて、例えば表示装置３１における表示の反転、あるいはハイライト処理が実施される（Ｓ４７）。なお、ステップＳ４７の状態が、図３に対応する。
【００４２】
以下、再生順序を確定するか否かがチェックされ（Ｓ４８）、確定された場合（Ｓ４８−Ｙｅｓ）、その設定すなわち「新しいプレイリスト」を保存するか否かがチェックされる（Ｓ４９）。なお、確定された設定は、先に説明したように、図示しないＤ−ＲＡＭ（揮発性のメモリ）に一時的に保持され、確定された設定の保存には、例えばＨＤＤ５のハードディスクＨＤまたはフラッシュメモリ７の所定の領域が割り当てられる。
【００４３】
図５は、図１に示したディスク再生装置の別の実施の形態の一例を示している。なお、図１に示した要素あるいは構成と同じ要素あるいは構成には同じ符号を付して詳細な説明を省略する。
【００４４】
図５に示すディスク再生装置１０１は、図１に示したディスク再生装置１のプレイリスト処理部５１に、プレイリスト検出画面処理部１５９が付加されたものである。
【００４５】
プレイリスト検出処理部１５９は、ユーザが、例えば図６に「あなたの設定したプレイリスト」として示すように、ＨＤ  ＤＶＤディスクに収容されているコンテンツＡ〜Ｅのうち、コンテンツＢをダウンロードにより取得したコンテンツＹに置き換えて再生する新たなプレイリストを設定した場合に、例えば図７に示すように、ＨＤ  ＤＶＤディスク供給元が予め設定したコンテンツ再生順序を変更できないような設定により、ユーザが選択した再生順である「あなたの指定したプレイリスト」を実行できない等の場合に「あなたの指定したプレイリスト」の表示とともに、例えば「ディスクプレイリスト」の表示部の反転表示等により、プレイリストの変更制限があることを報知するために利用される。
【００４６】
図８は、例えば家庭内ＬＡＮのような閉じたネットワーク内に、ディスク再生装置１と実質的に同一の機能を含む携帯可能型のディスク再生装置や、例えば家庭内に別の場所に設けられている同形式あるいはＨＤ  ＤＶＤディスクＤを再生可能な別の形式のディスク再生装置が接続され、任意のディスク再生装置により複数回または別々のタイミングで、ＨＤ  ＤＶＤディスク供給元のｗｅｂサイトから付加的なコンテンツがダウンロードされている場合に、総てのプレイリストを参照して最新のプレイリストを構築する例を示す。なお、図８においては、実質的に同一の２台のディスク再生装置１とディスク再生装置１０１が家庭内ＬＡＮ（サーバ）を介して、相互に、コンテンツおよびプレイリストが転送可能に、接続されている例を示している。
【００４７】
既に説明したように、ディスク再生装置１のＰ−ストレージ（ＨＤＤユニット５またはフラッシュメモリ７）にダウンロードされている付加的なコンテンツを総て、ＬＡＮ上にある他のディスク再生装置（ここではディスク再生装置１０１）においてＨＤ  ＤＶＤを再生する際に、併せて再生することができる。また、逆に、他のディスク再生装置１０１により独立にダウンロードされた付加的なコンテンツをディスク再生装置１により再生することも可能である。
【００４８】
このため、ＬＡＮ上にあるディスク再生装置相互において、ＬＡＮ上にある総てのディスク再生装置のＰ−ストレージに保存されている付加的なコンテンツのプレイリストを、現在ＨＤ  ＤＶＤディスクの再生に利用されているディスク再生装置により読み出すことができることが求められている。
【００４９】
例えば、図９により以下に説明するように、ビデオソフトであるＨＤ  ＤＶＤディスクＤをディスク再生装置１０１にセットした場合、家庭内ＬＡＮを経由して接続されているディスク再生装置１のＰ−ストレージに保持されているプレイリストがディスク再生装置１０１にプレイリスト検出部５３により検出される。この場合、ディスク再生装置１０１にＨＤ  ＤＶＤディスクがセットされた時点で、ＬＡＮを介して接続されているディスク再生装置１が、プレイリストの読み出し（検出）に先だって、起動（wake up）される。
【００５０】
次に、ディスク再生装置１０１において、プレイリスト生成画面が生成され、ＯＳＤ１７を介して、表示装置３１に表示される。検出するプレイリストは、装着したディスクに関連するプレイリストである場合であるが、他の実施例としてはディスクに関連しないリストも含めた検出でもよい。
【００５１】
図９に示す例では、ＨＤ  ＤＶＤディスクに収容されているコンテンツＡ〜Ｅと、ディスク再生装置１０１のＰ−ストレージに保持されているコンテンツＸ−１（Ａリンク），Ｙ−２（Ｂリンク），Ｚ−３（Ｃリンク）が、Ｐ−ストレージ（１０１側）に格納されていることが、「Ｐ−ストレージプレイリスト」として表示されている。また、ディスク再生装置１のＰ−ストレージに、コンテンツＸ−２（Ａリンク），Ｙ−２（Ｂリンク），Ｚ−３（Ｃリンク）が、Ｐ−ストレージ（１側）に格納されていることが、「Ｐ（２）−ストレージプレイリスト」として表示されている。
【００５２】
従って、最新のプレイリストとしては、Ｐ−ストレージ（１側）に格納されているコンテンツＸ−２（Ａリンク）、Ｐ−ストレージ（１０１側）に格納されているＹ−２（Ｂリンク），Ｚ−３（Ｃリンク）、ＨＤ  ＤＶＤディスクのコンテンツＤ、ＨＤ  ＤＶＤディスクのコンテンツＥの順に再生することを推奨する「お勧めプレイリスト」が形成されればよいことになる。
【００５３】
より詳細には、図１０に示すように、ディスク再生装置１０１にＨＤ  ＤＶＤディスクがセットされることで（Ｓ１０１）、ＬＡＮ上にある他のディスク再生装置（ここではディスク再生装置１）が起動（Wake Up）され（Ｓ１０２）、ディスク再生装置１のＰ−ストレージに保持されているコンテンツのプレイリストがディスク再生装置１０１により読み出される（Ｓ１０３）。
【００５４】
次に、ディスク再生装置１０１のＰ−ストレージに保持されているコンテンツのプレイリストが読み出され（Ｓ１０４）、ディスク再生装置１から読み出されたプレイリストと比較される（Ｓ１０５）。
【００５５】
以下、それぞれのディスク再生装置に保持されているプレイリストとＨＤ  ＤＶＤディスクに収容されているコンテンツのプレイリストが順に比較され（Ｓ１０６）、最新のコンテンツが選択されたプレイリストが生成される（Ｓ１０７）。
【００５６】
続いて、生成された最新のプレイリストに基づいて、任意のタイミングでダウンロードされた付加的コンテンツを含む最新のコンテンツが再生される（Ｓ１０８）。
【００５７】
なお、図１１に示すように、図４により既に説明した例と同様、ダウンロードされた付加的コンテンツを含む任意の再生順すなわちユーザの指定するプレイリストが作成可能であることは言うまでもない。
【００５８】
すなわち、ディスク再生装置１０１にＨＤ  ＤＶＤディスクがセットされることで（Ｓ２０１）、ＬＡＮ上にある他のディスク再生装置（ここではディスク再生装置１）が起動（Wake Up）され（Ｓ２０２）、ディスク再生装置１のＰ−ストレージに保持されているコンテンツのプレイリストがディスク再生装置１０１により読み出される（Ｓ２０３）。
【００５９】
次に、ディスク再生装置１０１のＰ−ストレージに保持されているコンテンツのプレイリストが読み出され（Ｓ２０４）、Ｐ−ストレージに保存された（ダウンロードされた）付加的コンテンツのプレイリストが生成される（Ｓ２０５）。
【００６０】
続いて、ユーザから、ＨＤ  ＤＶＤディスクに収容されている任意のコンテンツとＰ−ストレージに保持されている付加的コンテンツとの入れ替え、すなわち時系列に従って、コンテンツの再生順序が指示される（Ｓ２０６）。
【００６１】
ステップＳ２０６で、時系列に従って、コンテンツの再生順序が指示されたコンテンツについて、例えば表示装置３１における表示の反転、あるいはハイライト処理が実施される（Ｓ２０７）。
【００６２】
以下、再生順序を確定するか否かがチェックされ（Ｓ２０８）、確定された場合（Ｓ２０８−Ｙｅｓ）、その設定を保存するか否かがチェックされる（Ｓ２０９）。なお、確定された設定は、先に説明したように、図示しないＤ−ＲＡＭ（揮発性のメモリ）に一時的に保持され、確定された設定の保存には、例えばＨＤＤ５のハードディスクＨＤの所定の領域が割り当てられる。
【００６３】
このようにして、ＨＤ  ＤＶＤディスクＤに収容されているコンテンツを再生する場合においてディスク供給元からダウンロードされた付加的なコンテンツが存在する場合は、ダウンロードされているコンテンツとＨＤ  ＤＶＤディスクに収容されているコンテンツから最新のプレイリストを作成し、作成したプレイリストに従い、ディスクに収容されているコンテンツとを併せた最新のコンテンツが、ディスク再生装置により再生される。
【００６４】
以上説明したように、この発明のディスク再生装置においては、ＨＤ  ＤＶＤディスクに収容されているコンテンツとコンテンツ供給元から供給される特別なコンテンツとを、ユーザの好みに応じた再生順あるいは組み合わせにより、再生させることができる。
【００６５】
また、閉じたネットワーク、例えば家庭内ＬＡＮに接続されたディスク再生装置相互において、独立してダウンロードされた複数の付加的なコンテンツが存在する場合、ここのディスク再生装置に保持されているコンテンツを任意に組み合わせて再生させることができる。
【００６６】
なお、上述したディスク再生装置１あるいはディスク再生装置１０１は、閉じたネットワークすなわち家庭内ＬＡＮに共通のサーバタイプのストレージ（記憶装置）でもよい。また、ネットワークとしては、周知の無線ＬＡＮも利用可能である。この場合、図８に示したディスク再生装置の少なくとも１台を、ユーザが保持する自家用車等に積載した移動（携帯）可能なディスク再生装置とすることも可能である。
【００６７】
また、この発明は、前記各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００６８】
【図１】この発明の実施の形態が適用可能なディスク再生装置の一例を示す概略図。
【図２】図１に示したディスク再生装置において生成されるプレイリストの一例を示す概略図。
【図３】図２に示したプレイリストからユーザがプレイリストの組み合わせを変更した場合の表示の一例を示す概略図。
【図４】図３に示したプレイリストを変更して最新のプレイリストを作成する手順の一例を説明するフローチャート。
【図５】図１に示したディスク再生装置の別の実施の形態の一例を示す概略図。
【図６】図５に示したディスク再生装置において、ユーザがプレイリストを作成した場合の表示の一例を示す概略図。
【図７】図６に示したようなユーザが作成したプレイリストに対し、ＨＤ  ＤＶＤディスク供給元による再生順の変更制限がある場合の表示の一例を示す概略図。
【図８】閉じたネットワーク内に、実質的に同一の機能を含む複数のディスク再生装置が接続され、任意のディスク再生装置により複数回または別々のタイミングでＨＤ  ＤＶＤディスク供給元のｗｅｂサイトから付加的なコンテンツがダウンロードされている場合に総てのプレイリストを参照して最新のプレイリストを構築する例を示す概略図。
【図９】図８に示した複数のディスク再生装置のそれぞれのＰ−ストレージに保持されている付加的な（ダウンロードされた）コンテンツを現在ＨＤ  ＤＶＤの再生に用いられているディスク再生装置により再生する場合のプレイリストの表示例を示す概略図。
【図１０】図８に示した複数のディスク再生装置に独立して保持されている付加的なコンテンツを選択的に取り込んで、最新のプレイリストを作成する手順の一例を説明するフローチャート。
【図１１】図８に示した複数のディスク再生装置に独立して保持されている付加的なコンテンツを、ユーザの指示により選択的に取り込んで、最新のプレイリストを作成する手順の一例を説明するフローチャート。
【符号の説明】
【００６９】
１…ディスク再生装置、３…ディスクドライブユニット、５…ＨＤＤユニット、７…カードスロット、１１…主制御ブロック、１３…データバス、１５…ネットワークコントローラ、１７…ＯＳＤユニット、１９…リモコン受信部、２１…Ｉ／Ｏコントローラ、２３…ストリームパーサ、２５…ビデオ系デコーダ、２７…オーディオ系デコータ、２９…出力部、５１…プレイリスト処理部、５３…プレイリスト検出部、５５…プレイリスト生成部、５７…プレイリスト生成画面処理部、１５９…プレイリスト検出画面処理部。
【図１】
2007179682.tif 000003
【図２】
2007179682.tif 000004
【図３】
2007179682.tif 000005
【図４】
2007179682.tif 000006
【図５】
2007179682.tif 000007
【図６】
2007179682.tif 000008
【図７】
2007179682.tif 000009
【図８】
2007179682.tif 000010
【図９】
2007179682.tif 000011
【図１０】
2007179682.tif 000012
【図１１】
2007179682.tif 000013
【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
光ディスクに記録されているコンテンツを読み出すディスクユニットと、
前記ディスクユニットに前記光ディスクがセットされた時点で前記光ディスクに関連のある付加的なコンテンツを保持した別の場所にあるストレージに保持されている前記コンテンツを、所定のタイミングで、読み出すデータ制御装置と、
前記データ制御装置により読み出された前記付加的なコンテンツを保持する不揮発性メモリと、
前記光ディスクに記録されているコンテンツのプレイリストである第１のプレイリストと、前記不揮発性メモリに保持された付加的なコンテンツのプレイリストである第２のプレイリストとを検出し、それぞれのプレイリストを生成するプレイリスト処理部と、
前記プレイリスト処理部に、前記第１のプレイリストおよび前記第２のプレイリストのそれぞれからのコンテンツの再生順と、前記第１および第２のプレイリストにより管理される前記コンテンツの組み合わせを指示する再生制御装置と、
を有することを特徴とするディスク再生装置。
【請求項２】
光ディスクに記録されているコンテンツを読み出すディスクユニットと、
前記ディスクユニットに前記光ディスクがセットされた時点で前記光ディスクに関連のある付加的なコンテンツを保持した別の場所にあるストレージに保持されている前記コンテンツを、所定のタイミングで、読み出すデータ制御装置と、
前記データ制御装置により読み出された前記付加的なコンテンツを保持する不揮発性メモリと、
前記光ディスクに記録されているコンテンツのプレイリストである第１のプレイリストと、前記不揮発性メモリに保持された付加的なコンテンツのプレイリストである第２のプレイリストとを検出し、それぞれのプレイリストを生成するプレイリスト処理部と、
前記プレイリスト処理部に、前記第１のプレイリストおよび前記第２のプレイリストのそれぞれのコンテンツのうちの最新のコンテンツを、前記光ディスクに固有のコンテンツの再生順で再生可能に指示する再生制御装置と、
を有することを特徴とするディスク再生装置。
【請求項３】
光ディスクに記録されているコンテンツを読み出すディスクユニットと、
前記ディスクユニットに前記光ディスクがセットされた時点で前記光ディスクに関連のある付加的なコンテンツを保持した別の場所にあるストレージに保持されている前記コンテンツを、所定のタイミングで、読み出すデータ制御装置と、
前記データ制御装置により読み出された前記付加的なコンテンツを保持する不揮発性メモリと、
前記光ディスクに記録されているコンテンツのプレイリストである第１のプレイリストと、前記不揮発性メモリに保持された付加的なコンテンツのプレイリストである第２のプレイリストとを検出し、それぞれのプレイリストを生成するプレイリスト処理部と、
前記プレイリスト処理部に、前記第１のプレイリスト、前記第２のプレイリスト、前記第１のプレイリストおよび前記第２のプレイリストのそれぞれからのコンテンツの再生順および組み合わせが指定された第３のプレイリストのいずれかに従って、前記光ディスクに記録されているコンテンツおよび前記記憶装置に保持されている付加的なコンテンツを所定の再生順で再生可能に指示する再生制御装置と、
を有することを特徴とするディスク再生装置。
【請求項４】
前記再生制御装置は、前記プレイリスト処理部に指示した前記コンテンツの再生順と、前記第１および第２のプレイリストにより管理される前記コンテンツの組み合わせを前記記憶装置に記憶させることを特徴とする請求項１記載のディスク再生装置。
【請求項５】
光ディスクがディスクドライブ装置にセットされた時点で、光ディスクのコンテンツの供給元から付加的なコンテンツをダウンロードするデータ制御装置と、
前記ディスクドライブ装置を収容した装置とは異なる装置においてダウンロードされた付加的なコンテンツを保持する第１の記憶装置と、
前記ディスクドライブ装置を収容した装置においてダウンロードされた付加的なコンテンツを保持する第２の記憶装置と、
前記光ディスクに収容されているコンテンツのプレイリストである第１のプレイリストと、前記第１の記憶装置に保持されているコンテンツのプレイリストである第２のプレイリストと、前記第２の記憶装置に保持されているコンテンツのプレイリストである第３のプレイリストとをそれぞれ検出し、それぞれのプレイリストを生成するプレイリスト処理部と、
前記プレイリスト処理部に、前記第１ないし第３のプレイリストにより管理されるコンテンツのうちの最新のコンテンツを検出し、検出されたコンテンツを、前記光ディスクに記録されているコンテンツの再生順に再生させる再生制御装置と、
を有することを特徴とするディスク再生装置。
【請求項６】
前記ディスクドライブ装置を収容した装置は、前記ディスクドライブ装置に光ディスクがセットされた時点で、前記ディスクドライブ装置を収容した装置とは異なる前記装置を起動させ、前記第２の記憶装置に保持されている前記第２のプレイリストを読み出すことを特徴とする請求項５記載のディスク再生装置。
【請求項７】
光ディスクに記録されているコンテンツのプレイリストである第１のプレイリストと、不揮発性メモリに記憶した付加的なコンテンツのプレイリストである第２のプレイリストとを検出したのち、それぞれのプレイリストを生成し、
第１のプレイリストおよび第２のプレイリストのそれぞれからのコンテンツの再生順と第１および第２のプレイリストにより管理されるコンテンツの組み合わせを指示することにより、光ディスクに収容されているコンテンツと不揮発性メモリに記憶した付加的コンテンツとを併せて再生する
ことを特徴とするコンテンツ再生方法。
【請求項８】
光ディスクがセットされた時点で、光ディスクのコンテンツの供給元から付加的なコンテンツをダウンロードし、
ダウンロードされた付加的なコンテンツを所定の記憶部に記憶し、
光ディスクに記録されているコンテンツのプレイリストである第１のプレイリストと、記憶部に記憶した付加的なコンテンツのプレイリストである第２のプレイリストとを検出したのち、それぞれのプレイリストを生成し、
第１のプレイリストおよび第２のプレイリストのそれぞれからのコンテンツの再生順と第１および第２のプレイリストにより管理されるコンテンツの組み合わせを指示し、
第１のプレイリストおよび第２のプレイリストのそれぞれのコンテンツのうちの最新のコンテンツを、光ディスクに固有のコンテンツの再生順で再生する
ことを特徴とするコンテンツ再生方法。
【請求項９】
光ディスクがセットされた時点で、光ディスクのコンテンツの供給元から付加的なコンテンツをダウンロードし、
ダウンロードされた付加的なコンテンツを所定の記憶部に記憶し、
光ディスクに記録されているコンテンツのプレイリストである第１のプレイリストと、記憶部に記憶した付加的なコンテンツのプレイリストである第２のプレイリストとを検出したのち、それぞれのプレイリストを生成し、
第１のプレイリストおよび第２のプレイリストのそれぞれからのコンテンツの再生順と第１および第２のプレイリストにより管理されるコンテンツの組み合わせを指示し、
第１のプレイリスト、第２のプレイリスト、第１のプレイリストおよび第２のプレイリストのそれぞれからのコンテンツの再生順および組み合わせが指定された第３のプレイリストのいずれかに従って、光ディスクに記録されているコンテンツおよび記憶部に保持されている付加的なコンテンツを所定の再生順で再生可能に、
コンテンツ再生順を指定することのできるコンテンツ再生方法。
【請求項１０】
２以上の光ディスク装置が接続された状態で，任意の光ディスク装置に再生対象の光ディスクがセットされた時点で光ディスクがセットされていない側のディスク装置を起動し、
前記光ディスクがセットされていない側のディスク装置にダウンロードされている付加的コンテンツのプレイリストを読み出し、
前記光ディスクに収容されている情報に対応するプレイリスト，前記光ディスクがセットされていない側のディスク再生装置にダウンロードされている付加的コンテンツのプレイリスト，ならびに自身が保持するダウンロードした付加的なコンテンツのプレイリストをそれぞれ比較し、
それぞれのコンテンツのうちの最新のコンテンツに関する新たなプレイリストを生成し、
前記光ディスクに収容されているコンテンツの再生順で，前記新たなプレイリストにより管理されるコンテンツの組み合わせによるコンテンツの再生を指示する
を有することを特徴とするコンテンツ再生方法。
【手続補正２】
【補正対象書類名】明細書
【補正対象項目名】００１０
【補正方法】変更
【補正の内容】
【００１０】
この発明は、光ディスクに記録されているコンテンツを読み出すディスクユニットと、前記ディスクユニットに前記光ディスクがセットされた時点で前記光ディスクに関連のある付加的なコンテンツを保持した別の場所にあるストレージに保持されている前記コンテンツを、所定のタイミングで、読み出すデータ制御装置と、前記データ制御装置により読み出された前記付加的なコンテンツを保持する不揮発性メモリと、前記光ディスクに記録されているコンテンツのプレイリストである第１のプレイリストと、前記不揮発性メモリに保持された付加的なコンテンツのプレイリストである第２のプレイリストとを検出し、それぞれのプレイリストを生成するプレイリスト処理部と、前記プレイリスト処理部に、前記第１のプレイリストおよび前記第２のプレイリストのそれぞれからのコンテンツの再生順と、前記第１および第２のプレイリストにより管理される前記コンテンツの組み合わせを指示する再生制御装置と、を有することを特徴とするディスク再生装置、を提供するものである。